(57)【要約】      （修正有）【課題】記録媒体の保管・保持用として使用される紙材製のジャケット紙における記録媒体の保持部を簡単、容易に形成し、記録媒体をしっかりと保持固定でき、繰り返される着脱操作によっても破損されるおそれがなく、長期間にわたって使用可能にする保持具の提供。【解決手段】紙材製のジャケット紙本体Ｊに接合するよう、ジャケット紙本体Ｊに接合する大径なベース部２と、記録媒体Ｄを嵌め合わせ保持する小径な保持部３とを一体化させた段差がある２段構成の保持具１を形成する。ベース部２、保持部３は、剥離紙によって被覆することで保護した接着剤を裏面に塗布してあって、コルク材表面に薄片状の天然木突き板材を被装して成るシート状原版から切り抜きして形成する。そしてベース部２上面に保持部３を位置決め固着配置して一体化することで保持具１を形成する。【選択図】図１
0003107161.tif 000002
【実用新案登録請求の範囲】
【請求項１】
ジャケット紙本体における保持面部に固着されることで所定の記録媒体を保持する保持具であって、ジャケット紙本体に接合する大径なベース部と、記録媒体を嵌め合わせ保持する小径な保持部とを一体化させた段差がある２段構成にして形成したことを特徴とするＣＤ・ＤＶＤ等の円盤状記録媒体の保持具。
【請求項２】
ベース部、保持部夫々は、剥離紙によって被覆することで保護した接着剤を裏面に塗布してあって、コルク材表面に薄片状の天然木突き板材を被装して成るシート状の原版から切り抜きすることで形成してある請求項１に記載のＣＤ・ＤＶＤ等の円盤状記録媒体の保持具。
【請求項３】
ベース部、保持部夫々は、肉厚が約１ｍｍとして形成してある請求項１または２に記載のＣＤ・ＤＶＤ等の円盤状記録媒体の保持具。
【考案の詳細な説明】
【技術分野】
【０００１】
この考案は音楽、映像等をデジタル式に電子記録しているＣＤ（Ｃｏｎｐａｃｔ  Ｄｉｓｋ）、ＤＶＤ（Ｄｅｇｉｔａｌ  Ｖｅｒｓａｔｉｌｅ  Ｄｉｓｋ）等の円盤状記録媒体を適宜肉厚の紙製の保持部材（ジャケット紙）に保持させるとき、その中央に開穿されている支持孔にしっかりと嵌め合い、繰り返される着脱操作によっても容易には破損しないようにした紙製ジャケットに使用して好適なＣＤ・ＤＶＤ等の円盤状記録媒体の保持具に関する。
【背景技術】
【０００２】
従来から、この種の円盤状記録媒体は、例えば合成樹脂製の専用の薄型ケース内に各別に保持された状態で収納されており、その記録媒体の記録内容である音楽、映像その他の関連した内容記載を説明したシート状のジャケット用紙を例えば薄型ケース内に同封することで表示している。この円盤状記録媒体そのものは非常に安価に提供できるようになったことに対応して、これを収納する容器自体も薄型ケースに限らず、単葉枚収納式、多葉枚収納式等の様々な形態で収納可能な各種の収納容器も提案されている。
【０００３】
特に近時は、軽量化、廃棄容易性、取り扱い容易性等の要請から所定肉厚の紙片を利用して形成したジャケット紙が多用されるようになりつつある。このジャケット紙を使用する場合、袋状ないしは折り畳み状とされることでその内部に記録媒体が単に収納される場合には、開封時に記録媒体を不注意等で落下させてしまって損傷させることもある。これを防止すべく、記録媒体に開穿されている中心孔に嵌め合う突部をジャケット紙面に突設配置しておくことがある。
【特許文献１】特になし
【考案の開示】
【考案が解決しようとする課題】
【０００４】
ところがこのような突部は、ジャケット紙本体と同様に所定肉厚の円盤状紙材によってジャケット紙本体に例えば接合一体化されていることで形成されていると、繰り返される着脱操作で紙製突部の周縁が次第に脆くなって破損し、記録媒体の保持機能が喪失してしまう。また他の堅牢な素材を使用する場合には、ジャケット紙本体との結合に難があり、ジャケット紙本体から離反したり、その突状の保持部自体が比較的に長く使用可能でも、ジャケット紙本体自体の寿命で使用できなくなることで無駄なものとなったりするのである。
【０００５】
また従来のように合成樹脂材製の薄型ケースにおける保持部の構成では、着脱性を考慮した特別なキャッチ構造を採用する必要があり、それがかえって構造的に複雑化しており、このような複雑なキャッチ構造を簡易な紙材製のジャケットにそのまま採用することは困難でもある。
【０００６】
そこでこの考案は叙上のような従来存した諸事情に鑑み案出されたもので、ＣＤ、ＤＶＤ等の記録媒体の保管・保持用として使用されるように紙材製のジャケット紙とする場合等に、そのジャケット紙に確実簡単に結合でき、しかも記録媒体をジャケット紙にしっかりと保持固定できて繰り返される着脱操作によっても破損されるおそれがなく、長期間にわたって使用可能で、また安価に提供できるようにしたＣＤ・ＤＶＤ等の円盤状記録媒体の保持具を提供することを目的とする。
【課題を解決するための手段】
【０００７】
上述した課題を解決するため、この考案にあっては、ジャケット紙本体Ｊにおける保持面部Ｊ１に固着されることで所定の記録媒体Ｄを保持する保持具１であって、ジャケット紙本体Ｊに接合する大径なベース部２と、記録媒体Ｄを嵌め合わせ保持する小径な保持部３とを一体化させた段差がある２段構成にして形成したものである。
ベース部２、保持部３夫々は、剥離紙５によって被覆することで保護した接着剤を裏面に塗布してあって、コルク材表面に、例えば桐材等の薄片状の天然木突き板材を被装して成るシート状の原版から切り抜きすることで形成することができる。
ベース部２、保持部３夫々は、肉厚が約１ｍｍとして形成することができる。
【０００８】
以上のように構成されたこの考案に係るＣＤ・ＤＶＤ等の円盤状記録媒体の保持具にあって、２段構成の保持具１はジャケット紙本体Ｊ面に固着され、これの保持部３に中心孔が嵌め合わせられることによって所定の記録媒体Ｄを保持させる。記録媒体Ｄの繰り返される着脱操作でも、コルク材を主とする保持部３は型くずれせず、その柔軟性で記録媒体Ｄの着脱操作を容易にさせ、またベース部２はジャケット紙本体Ｊ面と記録媒体Ｄとの間に所定間隔を設定し、保持部３からの記録媒体Ｄの取り外しを容易にさせる。
ベース部２、保持部３夫々は剥離紙５によって保護された接着剤層が裏面に形成されていることで、ベース部２に対する保持部３を固着しての保持具１自体の形成、ジャケット紙本体Ｊに対するベース部２を固着しての保持部分の形成等を容易にさせ、製作作業を円滑化させる。
【考案の効果】
【０００９】
この考案に係るＣＤ・ＤＶＤ等の円盤状記録媒体の保持具によれば、記録媒体Ｄの保管・保持用として使用される紙材製のジャケット紙（Ｊ）における記録媒体Ｄの保持部を簡単、容易に形成でき、記録媒体Ｄをしっかりと保持固定でき、繰り返される着脱操作によっても破損されるおそれがなく、長期間にわたって使用可能にするのである。
【００１０】
すなわちこれはこの考案において、ジャケット紙本体Ｊに接合する大径なベース部２と、記録媒体Ｄを嵌め合わせ保持する小径な保持部３とを一体化させた段差がある２段構成にした保持具１としたからであり、記録媒体Ｄの着脱操作、軽量安価なジャケット紙本体Ｊとの接合による構成の簡素化による取り扱いの容易性等を図ることができる。
【００１１】
また保持具１を形成するベース部２、保持部３夫々は、コルク材表面に例えば桐材等の薄片状突き板材を被装して成るシート状の原版から切り抜きすることで形成してあるから、保持部３に対する記録媒体Ｄの着脱操作によって、これが繰り返されても型くずれしたり、損傷されたりすることはなく、長期にわたって使用可能である。しかも、これらのベース部２、保持部３夫々は剥離紙５によって被覆することで保護した接着剤を裏面に塗布してあるから、ベース部２に対する保持部３の固着、ベース部２によるジャケット紙本体Ｊに対する接合配置も容易であり、簡単にいわゆる「紙ジャケ」（紙製の簡易構造のＣＤ、ＤＶＤ用のジャケット）を構成できるのである。
【００１２】
保持具１自体は２段構成で、コルク材を主として形成されているから、上段の小径の保持部３に記録媒体Ｄをその中心孔にて嵌め合わせ、また取り出し時には、ベース部２の肉厚間隔でジャケット紙本体Ｊに対して記録媒体Ｄが半ば浮かんだ状態で保持されているから、記録媒体Ｄの周縁を持ち上げるようにして半ば強制的にでも取り外せばよいから、その着脱は極めて簡単である。しかも従来の合成樹脂材製の保持部であることで、特別なキャッチ機構を工夫し、構成するのに比し、構造的にも極めて簡単であり、安価に提供可能なものである。
【００１３】
しかもこれらのベース部２、保持部３夫々は、肉厚が約１ｍｍとして形成してあるから、ジャケット紙本体Ｊと一体化しても総じて肉厚に成らず、全体として軽量でもあるから取り扱いは容易であり、また郵送、保管等に際しても面倒とならない。そればかりでなく、不要後に廃棄することがあっても従来と異なり合成樹脂材製のものでないから、廃棄時の公害問題も生じないのである。
【００１４】
尚、上記の課題を解決するための手段、考案の効果の項夫々において付記した符号は、図面中に記載した構成各部を示す部分との参照を容易にするために付したもので、図面中の符号によって示された構造・形状にこの考案が限定されるものではない。
【考案を実施するための最良の形態】
【００１５】
以下図面を参照してこの考案を実施するための最良の一形態を説明すると、図において示される符号１は例えば紙材製のジャケット紙本体Ｊに接合されるこの考案に係る保持具であり、大径なベース部２と、小径な保持部３との一体化された段差がある２段構成のものとして形成されている。
【００１６】
ベース部２、保持部３夫々は、共に肉薄なコルク材の表面に、肉薄な薄片シート状の天然木突き板材、例えば薄片状の桐材を被装して成り、ベース部２、保持部３夫々の肉厚は全体で例えば１ｍｍ程度に形成されていて、夫々の裏面には接着剤が塗布され、その接着剤層は剥離紙５によって保護されている。保持部３の直径は例えば図示のようにＣＤ・ＤＶＤ等の記録媒体Ｄの中央部に開穿されている中心孔の内径とほぼ同一、好ましくはそれに比しやや大径に形成されていて、幾らか強制的にでも嵌め合わせられるようにしてある。ベース部２は、これによってジャケット紙本体Ｊに固着させるのであり、ジャケット紙本体Ｊに固着したときには、保持部３に嵌め合わせられる記録媒体Ｄとジャケット紙本体Ｊ面との間に若干の間隔を保持するようにさせている（図２参照）。
【００１７】
また、これらのベース部２、保持部３は直径に大小があることを考慮して、例えば剥離紙５によって被覆されることで接着剤が塗布された形成素材であるシート状原版に交互に千鳥状に配列して型抜きによって夫々を切り抜きできるように構成することで形成する。なお、これらのベース部２、保持部３夫々にはその中心位置に小径の位置決め孔が開穿されており、保持部３における剥離紙５を剥離してベース部２上面に対して保持部３を固着配置して一体化するときの位置決め合わせが容易にできるように配慮してあり、このような２段構成のものとして予め、形成され、用意されている。
【００１８】
一方、ジャケット紙本体Ｊは所定肉厚の厚紙から成る紙材にて形成されており、例えば図示のように記録媒体Ｄの大きさに対応した辺縁の大きさのほぼ矩形状の保持面部Ｊ１を備えたものとして二つ折りされていたり、記録媒体の肉厚に対応した背表紙となるマチ部分を介在させて三つ折りされていたりすることで構成されている。そして、保持面部Ｊ１には、その保持面となる内側面におけるほぼ中央部位にこの考案に係る保持具１が固着される。
【００１９】
保持面部Ｊ１への保持具１の固着に際し、ベース部２裏面の剥離紙５を剥離することで露呈させた接着剤層によって保持面部Ｊ１面の中央位置に接合するのである。
【００２０】
次にこれの使用の一例を説明すると、図３に示すようにシート状原版から切り抜き分離形成した保持部３を、剥離紙５を剥離して露出させた接着剤によってベース部２上面に固着して２段構成で形成して保持具１としておく（図３参照）。そして、必要とするジャケット紙本体Ｊの保持面部Ｊ１面の所定位置に、ベース部２の裏面から剥離紙５を剥離することで露出させた接着剤層によって接合一体化するのである。
【００２１】
こうすることでジャケット紙本体Ｊには、記録媒体Ｄを固定保持する保持具１が配置構成され、保持部３に記録媒体Ｄの中心孔を嵌め合わせることで記録媒体Ｄを保持し、またその取り出しは保持面部Ｊ１面からベース部２の肉厚に相当する間隔で保持された状態にある記録媒体Ｄを、その周縁を持ち上げることで強制的にでも保持部３から取り外すのである。
【００２２】
またジャケット紙本体Ｊ自体は、紙材によって形成されていることの特性を利用して直接に記録媒体Ｄの記録内容を表示でき、軽量であることとも相俟ち総じて取り扱い性に優れたものとできる。
【図面の簡単な説明】
【００２３】
【図１】この考案を実施するための最良の形態を示す使用状態の斜視図である。
【図２】同じく断面図である。
【図３】同じく分解斜視図である。
【符号の説明】
【００２４】
Ｄ…記録媒体                            Ｊ…ジャケット紙本体
Ｊ１…保持面部
１…保持具                              ２…ベース部
３…保持部                              ５…剥離紙
【図１】
0003107161.tif 000003
【図２】
0003107161.tif 000004
【図３】
0003107161.tif 000005